(57)【要約】【課題】受信性能を維持しつつ、小型化を図ることができる光センサ装置を提供する。【解決手段】パルス電流源回路１２から電流により測定光を発光する発光素子１１と、発光素子１１からの測定光を受信するフォトダイオード１３と、受信した測定光の信号強度に応じた第１の信号を出力するＡＤ変換器１４と、第１の信号を第２の信号として記憶する記憶回路１５と、第１の信号から第２の信号を減算して減算回路１６とを備えている。初期測定では、反射対象以外からの光を、ＡＤ変換器１４が第１の受信感度を低下させた第２の受信感度で測定して、クロストークとして記憶回路１５に記憶させる。反射対象からの反射光を含む測定光を測定する本測定では、ＡＤ変換器１４からの第１の信号から第２の信号を減算回路１６により減算し、乗算回路１７により、第２の受信感度の低下度合いに応じた乗算値により乗算して信号増幅して受光出力信号として出力する。【選択図】図１
2014178230.tif 000002
【特許請求の範囲】
【請求項１】
測定光を発光する発光手段と、
前記発光手段からの測定光を受信する受光手段と、
前記受光手段が受信した測定光の信号強度に応じた第１の信号を出力する信号処理手段と、
前記信号処理手段からの第１の信号を、第２の信号として記憶する記憶手段と、
前記信号処理手段からの第１の信号から、前記記憶手段からの第２の信号を減算して、第３の信号として出力する減算手段とを備え、
前記受光手段が受信した測定光が、反射対象以外からの光であるときの前記信号処理手段から出力される第１の信号であって、第１の受信感度を低下させた第２の受信感度で測定した第１の信号をクロストークとして前記記憶手段に記憶させ、
前記受光手段が受信した測定光が、反射対象からの反射光を含むときに、前記信号処理手段から出力される前記第２の受信感度で測定した第１の信号を、前記減算手段により前記記憶手段から読み出した第２の信号を減算して、反射対象からの測定光を測定することを特徴とする光センサ装置。
【請求項２】
前記減算手段からの第３の信号を、第２の受信感度の低下度合いに応じた乗算値により乗算して信号増幅する乗算手段を備えた請求項１記載の光センサ装置。
【請求項３】
前記信号処理手段は、第１の受信感度を低下させた第２の受信感度を記憶し、該第２の受信感度により測定して第１の信号を出力する請求項１または２記載の光センサ装置。
【請求項４】
前記発光手段は、前記信号処理手段にて第２の受信感度にて測定したことと同じとするために、該第２の受信感度に対応する測定光を発光する請求項１または２記載の光センサ装置。
【請求項５】
前記第２の受信感度は、第１の受信感度からクロストーク分を除いたレベルに低下させた値であり、
前記乗算値は、前記第２の受信感度の逆数とした値である請求項１から４のいずれかの項に記載の光センサ装置。
【請求項６】
前記信号処理手段は、ＡＤ変換器であり、
前記乗算手段は、乗算値に基づいてビットシフトして、受光出力信号として出力するシフトレジスタ回路により構成されている請求項１から５のいずれかの項に記載の光センサ装置。
【請求項７】
前記ＡＤ変換器は、前記受光出力信号のビット数をｎとすると、ｎ＋乗算値／２の分解能ビット数を有するものであり、
前記シフトレジスタは、乗算値に基づいてビットシフトして０が挿入された下位ビットを除いたビット数を受光出力信号として出力する請求項６記載の光センサ装置。
【請求項８】
前記信号処理手段は、前記受光手段が受信した測定光の信号強度を測定するときの最大電圧値を、電源電圧値とした請求項１から７のいずれかの項に記載の光センサ装置。
【請求項９】
前記信号処理手段は、前記受光手段が受信した測定光の信号強度を測定するときの最大電圧値を、電源電圧値より低い電圧値とした請求項１から７のいずれかの項に記載の光センサ装置。
【発明の詳細な説明】
【技術分野】
【０００１】
本発明は、発光手段からの測定光を、反射対象に反射した反射光として、受光手段が受光することで、反射対象の接近や離間を検出する光センサ装置に関するものである。
【背景技術】
【０００２】
携帯電話では、通話の際に顔に位置させたときに、表示パネルの背景光の照度を落としたり、消灯したりして、省電力化を図っている。顔への接近または当接の検知には、光センサ装置が用いられる。
【０００３】
携帯電話に内蔵された光センサ装置では、発光手段からの測定光を、顔に反射した反射光を受光手段により受信して反射光のレベルを測定することで、顔への接近または当接を検知しているが、発光手段からの測定光が保護用の透明板に反射したり、発光手段と受光手段との間の遮蔽板を透過したりして、顔に接近させなくても受光手段が受光してしまうことがある。これはクロストークと称され、受光側では、顔に反射した反射光に重畳するため、正確な反射光が測定できない。
【０００４】
このクロストークについて、除去する技術に関し、特許文献１に記載されたものが知られている。
【０００５】
特許文献１に記載の従来の光センサ装置は、反射対象がない状態の際に測定した測定光の測定値を記憶しておき、反射対象による反射光がある状態の測定値から減算することで、補正を行っている。
【先行技術文献】
【特許文献】
【０００６】
【特許文献１】米国特許出願公開第２０１１／０１２１１８２号明細書
【発明の概要】
【発明が解決しようとする課題】
【０００７】
従来の光センサ装置では、受光手段により測定光を受信して、測定光の強度に応じた信号を出力する信号処理手段の出力を、グラフで示すと、図１０（Ａ）のようになる。横軸は反射対象の反射による測定光の信号強度（光の強さ）、縦軸は測定光の受信レベル（電圧値）である。
【０００８】
図１０（Ａ）に示すグラフによると、測定光の信号強度に応じて比例の関係で測定光の受信レベルも増加するが、受信感度のレベルが測定光の受信レベルの最大となるため、それ以上の測定はできない状態となっている。
【０００９】
図１０（Ｂ）はクロストークを示している。クロストークは、反射対象の反射と無関係に受光手段に受信されるため、一定のノイズレベルとなって現れる。
【００１０】
図１０（Ｃ）に示すように、反射対象によって反射した測定光は、クロストークに重畳した状態で受光手段により受信されるため、測定可能な範囲の上限となる信号強度が、図１０（Ａ）と比較して低くなってしまう。これは、例えば、クロストークが大きくなればなるほど、測定光の測定範囲が狭くなってしてしまうことを示している。
【００１１】
従って、光センサ装置の小型化を図るために、発光手段と受信手段を接近しようとすれば、クロストークは大きくなってしまうので、小型化が困難となるだけでなく、受信性能が低下する。
【００１２】
そこで本発明は、受信性能を維持しつつ、小型化を図ることができる光センサ装置を提供することを目的とする。
【課題を解決するための手段】
【００１３】
本発明の光センサ装置は、測定光を発光する発光手段と、前記発光手段からの測定光を受信する受光手段と、前記受光手段が受信した測定光の信号強度に応じた第１の信号を出力する信号処理手段と、前記受光手段が受信した測定光が、反射対象以外からの光であるときの前記信号処理手段からの第１の信号を、第２の信号として記憶する記憶手段と、前記信号処理手段からの第１の信号から、前記記憶手段からの第２の信号を減算して、第３の信号として出力する減算手段とを備え、前記受光手段が受信した測定光が、反射対象からの反射光を含むときに、前記信号処理手段から出力される第１の受信感度を低下させた第２の受信感度で測定した第１の信号を、前記減算手段により前記記憶手段から読み出した第２の信号をクロストークとして減算して、反射対象からの測定光を測定することを特徴とする。
【発明の効果】
【００１４】
本発明の光センサ装置によれば、受信性能を維持しながら、発光手段と受光手段との間隔を接近させることができるので、受信性能を維持しつつ、小型化を図ることができる。
【図面の簡単な説明】
【００１５】
【図１】本発明の実施の形態１に係る光センサ装置を示す構成図
【図２】図１に示す光センサ装置の動作を説明するための図、（Ａ）はクロストークを示す図、（Ｂ）は第１の受信感度を第２の受信感度に低下させて受信した状態を示す図、（Ｃ）は反射対象から反射した測定光を測定した状態を示す図
【図３】図２に続く光センサ装置の動作を説明するための図、（Ａ）は、減算回路によりクロストークを減算した状態を示す図、（Ｂ）は乗算回路により乗算値に基づいて乗算した状態を示す図
【図４】ＡＤ変換器を説明するための図
【図５】パルス電流源回路を説明するための図
【図６】乗算回路を説明するための図
【図７】乗算回路でのビットシフトにより階段状の受光出力信号となったことを示す図
【図８】ＡＤ変換器、記憶回路、減算回路および乗算回路のビット構成を示す図
【図９】本発明の実施の形態２に係る光センサ装置を示す構成図
【図１０】従来の光センサ装置で測定光を受信した状態を示す図、（Ａ）はクロストークがない状態の図、（Ｂ）はクロストークを示す図、（Ｃ）は測定光にクロストークが重畳した状態を示す図
【発明を実施するための形態】
【００１６】
本願の第１の発明は、測定光を発光する発光手段と、発光手段からの測定光を受信する受光手段と、受光手段が受信した測定光の信号強度に応じた第１の信号を出力する信号処理手段と、信号処理手段からの第１の信号を、第２の信号として記憶する記憶手段と、信号処理手段からの第１の信号から、記憶手段からの第２の信号を減算して、第３の信号として出力する減算手段とを備え、受光手段が受信した測定光が、反射対象以外からの光であるときの信号処理手段から出力される第１の信号であって、第１の受信感度を低下させた第２の受信感度で測定した第１の信号をクロストークとして記憶手段に記憶させ、受光手段が受信した測定光が、反射対象からの反射光を含むときに、信号処理手段から出力される第２の受信感度で測定した第１の信号を、減算手段により記憶手段から読み出した第２の信号を減算して、反射対象からの測定光を測定することを特徴としたものである。
【００１７】
第１の発明によれば、受信感度を第１の受信感度から第２の受信感度に低下させることで、クロストークが重畳しても、測定光の測定範囲を拡げることができるので、受信性能を維持することができ、発光手段と受光手段との間隔を接近させることができる。
【００１８】
本願の第２の発明は、第１の発明において、減算手段からの第３の信号を、第２の受信感度の低下度合いに応じた乗算値により乗算して信号増幅する乗算手段を備えたことを特徴としたものである。
【００１９】
第２の発明によれば、乗算手段が、第２の受信感度の低下度合いに応じた乗算値により乗算して信号増幅するので、測定光の受信レベル（電圧値）を、第１の受信感度により受信したときと同等の信号レベルに戻すことができる。
【００２０】
本願の第３の発明は、第１または第２の発明において、信号処理手段は、第１の受信感度を低下させた第２の受信感度を記憶し、該第２の受信感度により測定して第１の信号を出力することを特徴としたものである。
【００２１】
第３の発明によれば、受信感度を第１の受信感度から第２の受信感度に低下させることを、信号処理手段により行うことができる。
【００２２】
本願の第４の発明は、第１または第２の発明において、発光手段は、信号処理手段にて第２の受信感度にて測定したことと同じとするために、該第２の受信感度に対応する測定光を発光する特徴としたものである。
【００２３】
第４の発明によれば、信号処理手段により行っていた受信感度を第１の受信感度から第２の受信感度に低下させた状態で測定することを、発光手段で行うことができる。
【００２４】
本願の第５の発明は、第１から第４のいずれかの発明において、第２の受信感度は、第１の受信感度からクロストーク分を除いたレベルに低下させた値であり、乗算値は、第２の受信感度の逆数とした値であることを特徴としたものである。
【００２５】
第５の発明によれば、クロストークのレベルに応じて第２の受信感度を設定することで、クロストークを抑え、測定光の測定範囲を拡げることができる。
【００２６】
本願の第６の発明は、第１から第５のいずれかの発明において、信号処理手段は、ＡＤ変換器であり、乗算手段は、乗算値に基づいてビットシフトして、受光出力信号として出力するシフトレジスタ回路により構成されていることを特徴としたものである。
【００２７】
第６の発明によれば、乗算手段をシフトレジスタ回路により構成することで簡単な構成で乗算手段を形成することができる。
【００２８】
本願の第７の発明は、第６の発明において、ＡＤ変換器は、受光出力信号のビット数をｎとすると、ｎ＋乗算値／２の分解能ビット数を有するものであり、シフトレジスタは、乗算値に基づいてビットシフトして０が挿入された下位ビットを除いたビット数を受光出力信号として出力することを特徴としたものである。
【００２９】
第７の発明によれば、ＡＤ変換器の分解能を上げ、乗算手段によりビットシフトして０が挿入された下位ビットを除くことで、誤差を取り除くことができるので、乗算手段をシフトレジスタ回路により形成しても、精度の低下を防止することができる。
【００３０】
本願の第８の発明は、第１から第７のいずれかの発明において、信号処理手段は、受光手段が受信した測定光の信号強度を測定するときの最大電圧値を、電源電圧値としたことを特徴としたものである。
【００３１】
第８の発明によれば、最大電圧値を電源電圧値とすることで、測定光の受信レベルを０Ｖから電源電圧までの間で測定することができる、受光手段の信号を電源電圧でプルアップしてやるなどの簡単な回路構成とすることができる。
【００３２】
本願の第９の発明は、第１から第７の発明において、信号処理手段は、受光手段が受信した測定光の信号強度を測定するときの最大電圧値を、電源電圧値より低い電圧値としたことを特徴としたものである。
【００３３】
第９の発明によれば、電源電圧が徐々に低下するような電源である場合には、予め電源電圧値より低い電圧値を測定光の信号強度を測定するときの最大電圧値としておけば、電源電圧が変動しても安定した測定を行うことができる。
【００３４】
（実施の形態１）
本発明の実施の形態に係る光センサ装置を図面に基づいて説明する。
【００３５】
図１に示す光センサ装置１０は、反射対象に接近または当接したことを検出するものである。光センサ装置１０は、例えば、携帯電話に実装され、通話時に表示パネルのバックライトを消灯するために、顔への接近または当接を検出するために使用される。
【００３６】
光センサ装置１０は、発光手段として機能する発光素子１１およびパルス電流源回路１２と、受光手段として機能するフォトダイオード１３と、信号処理手段として機能するＡＤ変換器１４と、記憶手段として機能する記憶回路１５と、減算手段として機能する減算回路１６と、乗算手段として機能する乗算回路１７とを備えている。
【００３７】
発光素子１１は、パルス電流源回路１２からの流し込み電流に応じて測定光を発光するＬＥＤである。
【００３８】
パルス電流源回路１２は、発光素子１１へパルス状の電流波形の信号を所定間隔で出力する電流源である。パルス電流源回路１２に設定された間隔値に基づいて電流信号のパルス間隔を発生している。
【００３９】
フォトダイオード１３は、発光素子１１からの測定光を受信して、測定光の信号強度に応じた電流信号を流す。
【００４０】
ＡＤ変換器１４は、フォトダイオード１３に流れる電流信号を、受信感度に応じた電圧値とし、この電圧値に基づくデジタル信号を第１の信号として出力する。例えば、電源電圧からフォトダイオード１３に電流を流し込めば、測定光の信号強度を測定するときの最大電圧値が電源電圧値となる。ＡＤ変換器１４は、受信感度を、第１の受信感度（測定可能な範囲の上限）を低下させた第２の受信感度としている。第１の受信感度は、ＡＤ変換器１４の最大受信感度であってもよいし、最大受信感度より落とした受信感度であってもよい。第２の受信感度は、任意に設定された第１の受信感度から更に低下させた受信感度である。
【００４１】
記憶回路１５は、ＡＤ変換器１４からの第１の信号を記憶するが、反射対象以外の光、例えば、携帯電話に実装され、顔などの反射物からの反射光がない初期状態（アイドル状態）のときの第１の信号を、第２の信号として記憶する。
【００４２】
減算回路１６は、ＡＤ変換器１４からの第１の信号から、記憶回路１５からの第２の信号の補数を取って加算することで減算を行い、第３の信号として出力するデジタル減算器である。
【００４３】
乗算回路１７は、減算回路１６からの第３の信号を、第２の受信感度の低下度合いに応じた乗算値により乗算して受光出力信号を出力するデジタル乗算器である。乗算回路１７は、乗算値に応じて第３の信号をビットシフトするシフトレジスタ回路により構成することができる。
【００４４】
以上のように構成された本発明の実施の形態に係る光センサ装置の動作および使用状態を図面に基づいて説明する。なお、本実施の形態では、第１の受信感度をフルレンジとし、第２の受信感度をフルレンジより低下させた設定感度として説明する。
【００４５】
まず、図１に示すように、パルス電流源回路１２により、パルス状の電流波形の信号を所定間隔で出力することで、発光素子１１を発光させ、初期状態であるときの測定（以下、これを初期測定と称す。）を行う。
【００４６】
初期測定は、ＡＤ変換器１４が第１の受信感度でフォトダイオード１３からの電流信号を受信したときの出力を測る。
【００４７】
発光素子１１からの測定光が、例えば、フォトダイオード１３との間に設置された樹脂板で形成された遮蔽板を透過したり、光センサ装置１０の上方に配置された保護カバーに反射したりして、反射対象である反射物による反射光でないときの光が、クロストークとなる。従って、初期測定は、このクロストークを測定することになる。
【００４８】
図２（Ａ）に示すように、初期測定の結果、クロストークが、フルレンジに対して、例えば５０％であったとすると、クロストークが占める割合を除いた受信感度の割合は５０％で、測定光を受信することになる。クロストークがなければ、フルレンジまで測定光の信号強度が測定できるが、測定光の信号強度が測定可能な範囲の５０％を超えると、測定光に５０％の強度のクロストークが重畳するので上限に達してしまい、性能の半分の測定しかできなくなってしまう。
【００４９】
そこで、ＡＤ変換器１４では、受信感度を、フルレンジより低下させた設定感度により信号処理する。例えば、クロストークが５０％であるため、設定感度をフルレンジの１／２とする。設定感度をフルレンジの１／２とすることで、図２（Ｂ）に示すように、クロストークのレベルが１／２となる。
【００５０】
ＡＤ変換器１４にフルレンジの１／２とした第２の受信感度を設定して、ＡＤ変換器１４から出力された第１の信号（１／２となったクロストーク）を記憶回路１５に記憶させる。また、ＡＤ変換器１４の第２の受信感度を１／２としたため、乗算回路１７での乗算値を２倍とする。
【００５１】
つまり、ＡＤ変換器１４の出力（クロストークの許容レベル）は、「フルレンジ−（フルレンジ／乗算値）≧ＡＤ変換器１１の出力」で表すことができる。
【００５２】
このようにして初期測定が完了すると、本測定を行うことができる。
【００５３】
発光素子１１からの測定光が、反射対象である反射物に反射して、フォトダイオード１３にて受信されると、測定光の信号強度に応じてＡＤ変換器１４が、デジタル信号となった第１の信号を出力する。
【００５４】
ＡＤ変換器１４では、フルレンジの１／２とした設定感度により測定光を測定しているため、図２（Ｃ）に示すように、クロストークが１／２に圧縮されて測定可能な範囲の２５％となるため、測定可能な範囲の上限まで７５％の余裕ができる。また、フルレンジの１／２とした設定感度により測定光を測定しているため、測定光の受信レベルの傾きが１／２となる。
【００５５】
従って、フルレンジから受信感度を低下させ、測定光の受信レベルの傾きが１／２となることで、クロストークがあっても、測定可能な範囲の上限に到達する測定光の信号強度を増加させることができる。
【００５６】
次に、減算回路１６が、ＡＤ変換器１４からの第１の信号から、記憶回路１５から読み出したクロストークである第２の信号を減算して第３の信号を出力することで、図３（Ａ）に示すように、第３の信号を、反射対象に反射した測定光のみのレベルを残すことができる。
【００５７】
そして、減算回路１６からの第３の信号に対して、乗算回路１７が、フルレンジから設定感度に低下した割合の逆数を乗算値として乗算して、信号増幅する。
【００５８】
これにより、図３（Ｂ）に示すように、測定光の受信レベルを、フルレンジにより受信したときと同等の信号レベルに戻すことができる。
【００５９】
このように、受信感度をフルレンジから設定感度に低下させることで、クロストークが重畳しても、クロストークを抑えて、測定光の測定範囲を拡げることができるので、受信性能を維持することができる。従って、発光素子１１とフォトダイオード１３との間隔を接近させることができるので、光センサ装置１０の小型化を図ることができる。また、測定光を完全に遮蔽する金属板を、発光素子１１とフォトダイオード１３との間に遮蔽板として設置すると、ある程度の厚みを持ったものとしなくてはならない。しかし、クロストークを許容する範囲を拡げることができるので、遮蔽板を少し透過してしまうような薄い樹脂板とすることができるので、この点からも光センサ装置１０の小型化を図ることができる。
【００６０】
なお、本実施の形態１に係るＡＤ変換器１４では、測定光の信号強度を測定するときの最大電圧値を電源電圧としているが、電源電圧より低い電圧値とすることができる。測定光の受信レベルの最大電圧値（上限）を電源電圧とすれば、図４（Ａ）に示すように、フォトダイオード１３に、電源を接続するような、簡単な構成とすることができる。
【００６１】
また、測定光の受信レベルの上限を電源電圧値より低い電圧値とすることができる。例えば、電源電圧が電池により供給される場合では、電池の使用によって徐々に電源電圧が低下して、電池の電圧が、最終的に終止電圧に達すると、電池交換や充電が必要となる。このような電池が電源として使用される場合には、図４（Ｂ）に示すように、予め終止電圧より低い電圧を測定光の受信レベルの上限に設定する電圧レギュレータを、電源とＡＤ変換器１４の間に設けることで、電源電圧が変動しても安定した測定光の測定を行うことが可能である。
【００６２】
また、本実施の形態１に係るＡＤ変換器１４では、第２の受信感度を設定して、信号処理を行っているが、ＡＤ変換器１４にて第２の受信感度にて測定したことと同じとするために、パルス電流源回路１２により、第２の受信感度に対応する測定光を発光するようにしてもよい。
【００６３】
例えば、パルス電流源回路１２が、図５（Ａ）に示す電流波形の信号を発光素子１１に流している場合には、図５（Ｂ）に示すような２パルスを１パルスとした電流波形の信号とすれば、ＡＤ変換器１４では測定光の受信レベルを積算値で演算しているため、受信感度をフルレンジで受信していてもフルレンジを５０％低下させた設定感度で受信した状態と同じとなる。
【００６４】
このように、ＡＤ変換器１４にて第１の受信感度から低下させた第２の受信感度により測定するのではなく、パルス電流源回路１２により第２の受信感度に対応する測定光を、発光素子１１に発光させることにより、ＡＤ変換器１４にて受信感度を低下させたことと同等なことができる。
【００６５】
次に、ＡＤ変換器１４および乗算回路１７について、図６から図８に基づいて詳細に説明する。
【００６６】
図６に示すように、減算回路１６からの第３の信号を、ビットシフトにより乗算するシフトレジスタにより形成された乗算回路１７は、乗算値が「２」で、第３の信号を２倍する場合には、最下位ビット（ＬＳＢ）に「０」が挿入される。
【００６７】
また、同様にして、乗算値が「４」で、第３の信号を４倍する場合には、最下位ビット（ＬＳＢ）から「０」が２つ挿入される。
【００６８】
従って、乗算回路１７から出力される受光出力信号は、線形な出力ではなく、図７に示すような、階段状の出力となる。そのため、乗算値が大きければ大きいほど、測定光の信号強度を測定した受光出力信号は、その間隔の拡がり精度が低下する。
【００６９】
そこで、ＡＤ変換器１４では、受光出力信号のビット数をｎとすると、分解能ビット数ｍを、ｎ＋乗算値／２としている。
【００７０】
例えば、図８に示すように、受光出力信号のビット数を１０ビットとし、乗算値を「２」とすると、ＡＤ変換器１４の分解能ビット数は受光出力信号のビット数に１ビットを加えた１１ビットとなるため、１１ビットで減算回路１６へ出力される第１の信号は１１ビットとなる。１１ビットの第１の信号を、記憶回路１５からの１１ビットのクロストーク（第２の信号）により減算回路１６で減算することで、１１ビットの第３の信号が乗算回路１７へ出力される。
【００７１】
乗算回路１７では、乗算値が２倍であるため１ビットシフトが行われ、ＬＳＢに「０」が挿入される。そして、受光出力信号として、ビットシフトした下位ビットを除いたビット数の上位１０ビットを出力することで、ＬＳＢの「０」は省略される。
【００７２】
つまり、ＡＤ変換器１４の分解能ビット数ｍを、ｎ＋乗算値／２とすることで、小数点以下を測定したことになるので、乗算回路１７にて「０」が挿入されても、精度の低下を防止することができる。
【００７３】
（実施の形態２）
本発明の実施の形態２に係る光センサ装置を図面に基づいて説明する。なお、図９においては、図１と同じ構成のものは同符号を付して説明を省略する。
【００７４】
本実施の形態２に係る光センサ装置１０ｘは、外部から第２の受信感度と乗算値とが設定できるようにしたものである。
【００７５】
図９に示すように、インタフェース回路１８は、光センサ装置１０ｘと、図示しない外部回路とのデータの入出力を行う。インタフェース回路１８は、外部回路とのシリアルデータ（ＳＤＡ）の入出力を行うシリアルデータ入出力端子Ｔ１に接続されている。インタフェース回路１８は、クロック信号（ＳＣＬ）の入力に使用されるクロック入力端子Ｔ２に接続されている。インタフェース回路１８は、データレジスタ１９からのパラレルデータを、シリアルデータをクロック信号に同期させたシリアルデータとして外部回路へ出力したり、クロック信号に同期した外部回路からのシリアルデータを入力してパラレルデータに変換してコマンドレジスタ２０へ出力したりする。
【００７６】
データレジスタ１９は、乗算回路１７からの受光出力信号（パラレルデータ）を一時的に保持する。
【００７７】
コマンドレジスタ２０は、外部回路からのコマンドを受信して回路を制御するものである。コマンドレジスタ２０は、第２の受信感度と乗算値の設定コマンドを入力したときには、第２の受信感度をＡＤ変換器１４に設定すると共に、乗算値を乗算回路１７に設定する。または、コマンドレジスタ２０は、第２の受信感度をＡＤ変換器１４に設定する代わりにパルス電流源回路１２に設定する。
【００７８】
このように外部回路から第２の受信感度および乗算値を設定できるようにすることで、光センサ装置１０ｘが内蔵される携帯電話が異なり、クロストークのレベルの電圧値が異なっても対応を図ることができる。
【００７９】
なお、本実施の形態１，２では、信号処理手段を、アナログからデジタルに変換するＡＤ変換器１４とし、記憶回路１５、減算回路１６、乗算回路１７をデジタル回路としているが、全てをアナログ回路で構成するようにしてもよい。
【産業上の利用可能性】
【００８０】
本発明は、受信性能を維持しつつ、小型化を図ることができるので、発光手段からの測定光を、反射対象に反射した反射光として、受光手段が受光することで、反射対象の接近や離間を検出する光センサ装置に好適である。
【符号の説明】
【００８１】
１０，１０ｘ  光センサ装置
１１  発光素子
１２  パルス電流源回路
１３  フォトダイオード
１４  ＡＤ変換器
１５  記憶回路
１６  減算回路
１７  乗算回路
１８  インタフェース回路
１９  データレジスタ
２０  コマンドレジスタ
Ｔ１  シリアルデータ入出力端子
Ｔ２  クロック入力端子
【図１】
2014178230.tif 000003
【図２】
2014178230.tif 000004
【図３】
2014178230.tif 000005
【図４】
2014178230.tif 000006
【図５】
2014178230.tif 000007
【図６】
2014178230.tif 000008
【図７】
2014178230.tif 000009
【図８】
2014178230.tif 000010
【図９】
2014178230.tif 000011
【図１０】
2014178230.tif 000012